(57)【要約】【課題】作業者の負担を軽減してワーク載置テーブルの高さ調整を可能にした立形旋盤を提供する。【解決手段】ワークを載置可能なワーク載置テーブル３を、差し替え可能に配置されるライナ８を介して上端に高さ調整可能に取り付けて垂直に設けられた主軸２と、ワーク載置テーブルの下方に配置されて主軸を収容する収容部材４に固定されて、主軸を回転自在に支持すると共に、主軸の径方向に作用するラジアル荷重を受けるころ軸受１０，１１と、収容部材とワーク載置テーブルとの間に設けられて、主軸の軸線方向に作用するアキシャル荷重を受けるスラスト軸受１３と、を備えた立形旋盤１において、収容部材に、主軸を軸線方向の下側に引っ張ることで、下側に移動したワーク載置テーブルがスラスト軸受に下側への予圧を加えるようにする予圧手段１２を設けた。【選択図】図１
2014223703.tif 000002
【特許請求の範囲】
【請求項１】
ワークを載置可能なワーク載置テーブルを、差し替え可能に配置されるライナを介して上端に高さ調整可能に取り付けて垂直に設けられた主軸と、前記ワーク載置テーブルの下方に配置されて前記主軸を収容する収容部材に固定されて、前記主軸を回転自在に支持すると共に、該主軸の径方向に作用するラジアル荷重を受けるころ軸受と、前記収容部材と前記ワーク載置テーブルとの間に設けられて、前記主軸の軸線方向に作用するアキシャル荷重を受けるスラスト軸受と、を備えた立形旋盤において、
前記収容部材に、前記主軸を前記軸線方向の下側に引っ張ることで、該下側に移動した前記ワーク載置テーブルが前記スラスト軸受に前記下側への予圧を加えるようにする予圧手段を設けたことを特徴とする立形旋盤。
【請求項２】
前記予圧手段を、前記収容部材に対して前記主軸を回転自在に支持すると共に、前記下側への予圧が付与されたアンギュラ玉軸受としたことを特徴とする請求項１に記載の立形旋盤。
【発明の詳細な説明】
【技術分野】
【０００１】
この発明は、ワークを載置可能なワーク載置テーブルを、差し替え可能に配置されるライナを介して上端に高さ調整可能に取り付けて垂直に設けられた主軸と、前記ワーク載置テーブルの下方に配置されて前記主軸を収容する収容部材に固定されて、前記主軸を回転自在に支持すると共に、該主軸の径方向に作用するラジアル荷重を受けるころ軸受と、前記収容部材と前記ワーク載置テーブルとの間に設けられて、前記主軸の軸線方向に作用するアキシャル荷重を受けるスラスト軸受と、を備えた立形旋盤に関する。
【背景技術】
【０００２】
例えば特許文献１には、垂直に設けてワークを把持するワーク主軸を、ベッドに対して回転並びに旋回角度割出し可能に軸支して、ワーク主軸に把持させたワークに対し、旋削加工や穴あけ加工等の多様な加工を可能にした複合加工工作機械が開示されている。特許文献１に記載の複合加工工作機械では、ワーク主軸の上部及び下部が、ベッドに組み込まれた枠体に、軸受によって支持されている。
【先行技術文献】
【特許文献】
【０００３】
【特許文献１】特開２００１−２８７１０２号公報
【発明の概要】
【発明が解決しようとする課題】
【０００４】
ところで、上記のような垂直に設けられたワーク主軸を備えた立形旋盤では、ワーク主軸を、ワークを載置可能なワーク載置テーブルと、該ワーク載置テーブルを上端に取り付ける主軸とで構成したものがある。そしてこの立形旋盤では、ワーク載置テーブルの下方に配置した主軸の収容部材と該ワーク載置テーブルとの間に、主軸の軸線方向に作用するアキシャル荷重を受けるスラスト軸受を備えると共に、前記収容部材に、前記主軸を回転自在に支持して、該主軸の径方向に作用するラジアル荷重を受けるころ軸受を備えたものがある。
【０００５】
このような立形旋盤では、前記ころ軸受が正規の位置からずれた位置で収容部材に固定されることがあると、ワーク載置テーブルが正規の位置に配置されないことがある。そこで、ワーク載置テーブルを正規の位置に配置するために、主軸とワーク載置テーブルとの間に、ライナを差し替え可能に配置して、このライナを介してワーク載置テーブルを、主軸の上端に高さ調整可能に取り付けることがなされていた。
【０００６】
しかしながら、上記のようなワーク載置テーブルの高さを調整する作業の際には、ワーク載置テーブルにワークを載置した状態を想定して、前記スラスト軸受に、ワーク載置テーブルの重量による予圧の他に、前記ワークの重量による予圧を加える必要がある。そのためには、作業者は、ライナの差し替え作業に加えて、前記ワークと同等の重量を有する錘部材をワーク載置テーブルに載せる作業をしなければならなかった。このようなことから、作業者にとってはワーク載置テーブルの高さを調整する作業を負担に感じることがあった。
【０００７】
この発明は、このような状況に鑑み提案されたものであって、作業者の負担を軽減してワーク載置テーブルの高さ調整を可能にした立形旋盤を提供することを目的とする。
【課題を解決するための手段】
【０００８】
請求項１の発明に係る立形旋盤は、ワークを載置可能なワーク載置テーブルを、差し替え可能に配置されるライナを介して上端に高さ調整可能に取り付けて垂直に設けられた主軸と、前記ワーク載置テーブルの下方に配置されて前記主軸を収容する収容部材に固定されて、前記主軸を回転自在に支持すると共に、該主軸の径方向に作用するラジアル荷重を受けるころ軸受と、前記収容部材と前記ワーク載置テーブルとの間に設けられて、前記主軸の軸線方向に作用するアキシャル荷重を受けるスラスト軸受と、を備えた立形旋盤において、前記収容部材に、前記主軸を前記軸線方向の下側に引っ張ることで、該下側に移動した前記ワーク載置テーブルが前記スラスト軸受に前記下側への予圧を加えるようにする予圧手段を設けたことを特徴とする。
【０００９】
請求項２の発明は、請求項１において、前記予圧手段を、前記収容部材に対して前記主軸を回転自在に支持すると共に、前記下側への予圧が付与されたアンギュラ玉軸受としたことを特徴とする。
【発明の効果】
【００１０】
請求項１の発明に係る立形旋盤によれば、ワーク載置テーブルの高さを調整する作業を行う際には、ワーク載置テーブルに錘部材を載せなくても、スラスト軸受には、ワーク載置テーブルの重量による予圧の他に、予圧手段によって、主軸の軸線方向の下側への予圧を加えることができる。したがって、スラスト軸受に前記下側への予圧を加えるために、作業者がワーク載置テーブルに錘部材を載せる作業を行う必要がない。よって、ワーク載置テーブルの高さを調整する際の作業者の負担を軽減できる。
請求項２の発明によれば、主軸の軸線方向の下側への予圧が付与されたアンギュラ玉軸受に、主軸を回転自在に支持させるだけの簡単な構成で、該主軸に取り付けたワーク載置テーブルを前記下側に移動させることができる。その結果、下側に移動したワーク載置テーブルによって、スラスト軸受に前記下側への予圧を加えることが可能になる。
【図面の簡単な説明】
【００１１】
【図１】本発明の実施形態の立形旋盤の概略部分正面断面図である。
【発明を実施するための形態】
【００１２】
本発明の実施形態を図１を参照しつつ説明する。図１には、垂直に設けた主軸２の上端にワークを載置可能なワーク載置テーブル３（以下「テーブル３」という。）を取り付けた立形旋盤１を示した。この立形旋盤１では、テーブル３の上方に、工具を装着する工具主軸を下向きに支持した主軸頭（図示せず。）が、上下方向へ移動可能に配置されている。この工具主軸に装着された工具によって、テーブル３に載置されたワークに対して旋削加工が行われる。
【００１３】
一方、テーブル３の下方には、ベッド（図示せず。）に組み込まれて固定された主軸収容ハウジング４が配置されている。図１に示すように主軸２は、該主軸２の外周面上部（図１の上側）を主軸収容ハウジング４から突出させて該主軸収容ハウジング４に収容されている。主軸２の外周面上部には、円板状のフランジ７が周設されている。本実施形態では、フランジ７の上面とテーブル３の下面中央部との間に、差し替え可能な円環状の高さ調整用ライナ８を介在させて、主軸２の上端にテーブル３を取り付けた。ここでは、フランジ７の上面とテーブル３の下面中央部との間に挿入する高さ調整用ライナ８の厚みを適宜変更することで、テーブル３を、主軸２の上端に該主軸２の軸線方向（図１の上下方向）で高さ調整可能に取り付けることができる。なお、主軸収容ハウジング４は本発明の収容部材の一例であり、高さ調整用ライナ８は本発明のライナの一例である。
【００１４】
また図１に示すように、主軸２の外周面下部と主軸収容ハウジング４の内壁面との間には、上下２段に配置した円筒ころ軸受１０，１０を介在させている。加えて、主軸２の軸線方向でフランジ７よりも下方の主軸２の外周面と、主軸収容ハウジング４の内壁面との間にも、上下２段に配置した円筒ころ軸受１１，１１を介在させている。各円筒ころ軸受１０，１１により、主軸２を主軸収容ハウジング４に対して回転自在に支持すると共に、該主軸２の径方向に作用するラジアル荷重を受けることができる。加えて各円筒ころ軸受１０，１１を上下２段に配置することで、ラジアル荷重に対する各円筒ころ軸受１０，１１の剛性を高めた。なお、各円筒ころ軸受１０，１１は本発明のころ軸受の一例である。
【００１５】
さらに、主軸２の軸線方向における両円筒ころ軸受１０，１１の間で、主軸２の外周面と主軸収容ハウジング４の内壁面との間に、上下２段に配置したアンギュラ玉軸受１２，１２を介在させている。ここでは、両アンギュラ玉軸受１２，１２の組み合せ形式を正面組合せとして、アンギュラ玉軸受１２，１２で主軸２を回転自在に支持するようにした。加えて本実施形態では、前記軸線方向で両アンギュラ玉軸受１２，１２の間に、ばね（図示せず。）が挿入されている。このばねの弾性力によって、両アンギュラ玉軸受１２，１２に前記軸線方向の下側への所定量の予圧が付与されている。加えて、主軸収容ハウジング４の上面と、該上面に対向するテーブル３の下面との間に、スラスト軸受１３を介在させている。このスラスト軸受１３により、前記軸線方向に作用するアキシャル荷重を受けることができる。
【００１６】
次に、立形旋盤１においてテーブル３の高さを調整する動作を説明する。テーブル３の高さを調整する際には、テーブル３にワークを載置した状態を想定する必要がある。そのために、従来は作業者が、ワークと同等の重量を有する錘部材をテーブル３に載置する作業を行って、スラスト軸受１３に、テーブル３の重量による予圧の他に、錘部材の重量による予圧を加えることがなされていた。これに対し、本実施形態では、錘部材の重量による予圧に代えて、アンギュラ玉軸受１２，１２を用いることで、以下に説明するようにスラスト軸受１３に予圧を加えるようにした。このアンギュラ玉軸受１２，１２には、上記のように、主軸２の軸線方向の下側への予圧が付与されている。すると、この予圧により、アンギュラ玉軸受１２，１２に支持された主軸２も前記下側へ引っ張られる。これにより、主軸２に取り付けられたテーブル３も前記下側へ移動するため、該下側へ移動したテーブル３がスラスト軸受１３に前記下側への予圧を加えることになる。したがって、本実施形態の立形旋盤１では作業者は、スラスト軸受１３に前記下側への予圧を加えるために、テーブル３に錘部材を載置する必要がない。なお、アンギュラ玉軸受１２，１２は本発明の予圧手段の一例である。
【００１７】
＜本実施形態の効果＞
本実施形態の立形旋盤１では、テーブル３の高さを調整する作業を行う際には、テーブル３に錘部材を載置しなくても、スラスト軸受１３には、テーブル３の重量による予圧の他に、アンギュラ玉軸受１２，１２によって、主軸２の軸線方向の下側への予圧を加えることができる。したがって、スラスト軸受１３に前記下側への予圧を加えるために、作業者がテーブル３に錘部材を載置する作業を行う必要がない。よって、テーブル３の高さを調整する際の作業者の負担を軽減できる。
【００１８】
また、主軸２の軸線方向の下側への予圧が付与されたアンギュラ軸受１２，１２に、主軸２を回転自在に支持させるだけの簡単な構成で、該主軸２に取り付けたテーブル３を前記下側に移動させることができる。その結果、下側に移動したテーブル３によって、スラスト軸受１３に前記下側への予圧を加えることが可能になる。
【００１９】
本発明は、上述した実施形態に限定されるものではなく発明の趣旨を逸脱しない範囲内において構成の一部を適宜変更して実施できる。上述した実施形態では、ばねの弾性力によって、アンギュラ玉軸受１２，１２に主軸２の軸線方向の下側への予圧を付与する例を示したが、これに限らない。例えば前記予圧を付与する方法として、前記軸線方向で両アンギュラ玉軸受１２，１２の間に間座を挿入して、この間座によって両アンギュラ玉軸受１２，１２が軸線方向で所定量だけ離間するように変位させることで、アンギュラ玉軸受１２，１２に前記下側への予圧を付与する等の適宜の方法を採用してもよい。
【符号の説明】
【００２０】
１・・立形旋盤、２・・主軸、３・・ワーク載置テーブル、４・・主軸収容ハウジング、８・・高さ調整用ライナ、１０，１１・・円筒ころ軸受、１２・・アンギュラ玉軸受、１３・・スラスト軸受。
【図１】
2014223703.tif 000003